(57)【要約】【課題】  可動部品と駆動部品との正確な組付けを可能とするパチンコ機の遊技盤を提供する。【解決手段】  遊技盤１の盤本体２の前側に配置された可動部品３と、盤本体の裏側に固定された駆動部品４とを備えたパチンコ機の遊技盤において、盤本体２には前後方向に貫通する逃孔３０が形成され、駆動部品４から前側に突出した出力軸３１が盤本体の裏側から逃孔に挿入され、可動部品３から裏側に突出した取付部３２が盤本体の前側から逃孔に挿入されて出力軸と対向した状態で可動部品３と駆動部品４とが結合部材（止ねじ３３）により互いに結合された。【選択図】        図１
2005185587.tif 000002
【特許請求の範囲】
【請求項１】
遊技盤の盤本体の前側に配置された可動部品と、盤本体の裏側に固定された駆動部品とを備えたパチンコ機の遊技盤において、盤本体には前後方向に貫通する逃孔が形成され、駆動部品から前側に突出した出力軸が盤本体の裏側から逃孔に挿入され、可動部品から裏側に突出した取付部が盤本体の前側から逃孔に挿入されて出力軸と対向した状態で可動部品と駆動部品とが結合部材により互いに結合されたことを特徴とするパチンコ機の遊技盤。
【請求項２】
結合部材が止ねじにより形成され、止ねじが可動部品の前側から取付部を経由して出力軸に締結されたことを特徴とする請求項１に記載のパチンコ機の遊技盤。
【請求項３】
可動部品の取付部と駆動部品の出力軸とが互いに前後方向で嵌め合う嵌合部を形成したことを特徴とする請求項１又は請求項２に記載のパチンコ機の遊技盤。
【請求項４】
可動部品の取付部が可動部品の裏面に前後方向に延びる中空孔の形成された中空支柱により形成され、この中空孔と出力軸とが互いに前後方向で嵌め合う嵌合部を形成したことを特徴とする請求項３に記載のパチンコ機の遊技盤。
【請求項５】
駆動部品が前面に前後方向に延びる中空孔の形成された中空支柱を備え、この中空孔が上記嵌合部を支持する軸受部を構成したことを特徴とする請求項３又は請求項４に記載のパチンコ機の遊技盤。
【発明の詳細な説明】
【技術分野】
【０００１】
本発明は可動部品と駆動部品との正確な組付けを可能とするパチンコ機の遊技盤に関する。
【背景技術】
【０００２】
遊技盤の盤本体に取付けられる遊技部品は、盤本体の前面に可動部品を備え、盤本体の裏面に駆動部品を備えている。可動部品は、例えば、入賞部品の羽根である。駆動部品としては、例えば、入賞部品の羽根を駆動する駆動源や羽根を支持する支持部である。これらの可動部品及び駆動部品にあっては、羽根に形成された回転中心孔を遊技盤の盤本体の裏側から前側に突出する駆動部品の回転軸の先端に嵌め込んで取付ける構造が知られている。しかしながら、このように可動部品と駆動部品とが盤本体に取り付けられた状態においては駆動部品の回転軸に羽根が傾いて取り付けられてしまったり、回転軸に羽根を何回か着脱すると嵌め合いがゆるくなってしまったりして、可動部品と駆動部品との正確な組付けができないという欠点がある。
【特許文献１】実開昭５１−１１２６７４号公報
【発明の開示】
【発明が解決しようとする課題】
【０００３】
発明が解決しようとする問題点は、可動部品と駆動部品とを嵌め合いのみで組付ける構造では、可動部品と駆動部品との正確な組付けができないという点である。
【課題を解決するための手段】
【０００４】
本発明は、遊技盤の盤本体の前側に配置された可動部品と、盤本体の裏側に固定された駆動部品とを備えたパチンコ機の遊技盤において、盤本体には前後方向に貫通する逃孔が形成され、駆動部品から前側に突出した出力軸が盤本体の裏側から逃孔に挿入され、可動部品から裏側に突出した取付部が盤本体の前側から逃孔に挿入されて出力軸と対向した状態で可動部品と駆動部品とが結合部材により互いに結合されたことを最も特徴とする。結合部材が止ねじにより形成され、止ねじが可動部品の前側から取付部を経由して出力軸に締結されたことや、可動部品の取付部と駆動部品の出力軸とが互いに前後方向で嵌め合う嵌合部を形成したことや、可動部品の取付部が可動部品の裏面に前後方向に延びる中空孔の形成された中空支柱により形成され、この中空孔と出力軸とが互いに前後方向で嵌め合う嵌合部を形成したことや、駆動部品が前面に前後方向に延びる中空孔の形成された中空支柱を備え、この中空孔が上記嵌合部を支持する軸受部を構成したことも特徴とする。
【発明の効果】
【０００５】
本発明に係るパチンコ機の遊技盤は、可動部品から裏側に突出した取付部が盤本体の前側から逃孔に挿入されて出力軸と対向した状態で可動部品と駆動部品とが結合部材により互いに結合されたので、可動部品と駆動部品とを正確に組付けることが可能となる。結合部材としての止ねじが可動部品の前側から取付部を経由して出力軸に締結されたことによって、可動部品と駆動部品とが盤本体に取り付けられるので、可動部品と駆動部品とを簡単に正確に組付けることが可能となる。そして、盤本体に取り付けられた可動部品を盤本体から取り外す場合、可動部品を盤本体から簡単に取り外せることから、駆動部品をリサイクル利用できるとともに、可動部品のみを交換することが容易となる。止めじによる締結に加えて、嵌合部による嵌め合いにより出力軸と取付部とが正確に組付けられるので、駆動部品からの駆動力で可動部品が確実に動作する高品質の遊技部品を搭載した遊技盤を提供できる。可動部品の取付部が可動部品の裏面に前後方向に延びる中空孔の形成された中空支柱により形成されたことで、この中空孔と出力軸との嵌合部による組付けを確実にできる。駆動部品の中空支柱の中空孔が嵌合部の軸受部として機能するので、可動部品をスムーズに駆動させることができる。
【発明を実施するための最良の形態】
【０００６】
図１−図８は実施形態である。図１は盤本体と可動部品と駆動部品との組立構造の断面を分解して示し、図２は盤本体の前面から駆動部品に止ねじで取付けられた各種の可動部品を示し、図３は盤本体と可動部品としての回転体と駆動部品との組立構造の断面を示し（図２のＡ−Ａ断面に相当）、図４は盤本体と可動部品としてのサイドランプと駆動部品との組立構造の断面を示し（図２のＢ−Ｂ断面に相当）、図５は盤本体と可動部品としての羽根と駆動部品との組立構造の断面を示し（図２のＣ−Ｃ断面に相当）、図６のａ図及びｂ図は羽根の開閉動作を示し、図７は盤本体と可動部品としての球誘導体と駆動部品とを分解して示し、図８は盤本体と可動部品としての球誘導体と駆動部品との組立構造の断面を示す。
【０００７】
図２を参照し、遊技部品５が取付けられた遊技盤１について説明する。遊技盤１は、盤本体２と、盤本体２に設けられる可動部品３と駆動部品４とからなる遊技部品５とを備える。可動部品３は、盤本体２の前面に設けられる、回転体６、サイドランプ７、可変入賞部品８の一対の羽根９、球誘導体１０等である。駆動部品４は、盤本体２の裏面１２に設けられるモータ、ソレノイド等の駆動源１１及び駆動源１１を盤本体２の裏面１２に取付けるための取付部１３等である（図１参照）。回転体６の下方には始動入賞部品１５が設けられる。球誘導体１０の下方にも始動入賞部品１６が設けられる。一対の羽根９；９の羽根間の下方には特別入賞部品１７及び特別入賞部品１７の両側に配置された一般入賞部品１８が設けられる。これらの入賞部品１５；１６；１７；１８は、盤本体２の前面２０に形成された遊技領域２１から球を取込み、この取込んだ球を盤本体２の裏側に誘導することなく遊技領域２１に排出する単純通過形態である。入賞部品１５；１６；１７；１８の球通過孔１９内には球検出器１９ａが設けられ、球検出器１９ａから制御装置１４に球検出信号を送信し、これにより制御装置１４が入賞を検知する。
【０００８】
盤本体２の前面２０には外レール２２と内レール２３とからなるガイドレールが設けられる。外レール２２と内レール２３とが、盤本体２の前面２０に取り付けられることによって、盤本体２の前面２０にガイドレールで囲まれた内側に遊技領域２１を形成するとともに、遊技領域２１の左側に連接する発射通路２４を形成する。遊技領域２１内に入賞部品１５；１６；１７；１８及び可動部品３が設けられる。球戻り防止弁２５が発射通路２４の出口を塞ぐように、球戻り防止弁２５の基端部が内レール２３に取り付けられることによって、球戻り防止弁２５は、発射通路２４から球戻り防止弁２５を押し開けて遊技領域２１に発射された球が遊技領域２１から発射通路２４に戻るのを防止する。遊技領域２１に入った球がいずれの入賞部品にも入賞しなかった場合はアウト口２６から盤本体２の裏側の図外の排出樋に排出される。
【０００９】
図１を参照し、遊技盤１に取り付けられる遊技部品５について説明する。遊技盤１の盤本体２には前後方向に貫通する逃孔３０が形成され、駆動部品４から前側に突出した出力軸３１が盤本体２の裏側から逃孔３０に挿入され、可動部品３から裏側に突出した取付部３２が盤本体２の前側から逃孔３０に挿入されて出力軸３１と対向し、止ねじ３３が可動部品３の前側から取付部３２を経由して出力軸３１に締結されることによって、可動部品３と駆動部品４とが互いに結合される。
【００１０】
駆動部品４は、駆動源１１と駆動源出力軸４０が嵌め込まれる駆動源出力軸４０より径の大きい出力軸３１と駆動源取付板４１とで構成される駆動体４２と、出力軸３１より大きい径で逃孔３０に挿入される中空支柱４５と中空支柱４５の一端側に盤本体２の裏面１２に接触して止ねじ４６で盤本体２の裏面に取り付けられた取付部１３とを備えた駆動体設置部材４７とで形成される。駆動源出力軸４０は出力軸３１の後部に形成された挿入孔４０ａに嵌め込まれてねじ４０ｂで出力軸３１に締結される。駆動体設置部材４７の取付部１３に駆動体１１の駆動源取付板４１を接触させて止ねじ４８で駆動源取付板４１が取付部１３に取付けられる。この際、出力軸３１の軸中心を中空支柱４５の中空孔５０内の孔軸中心に位置させる。これにより、出力軸３１の外周と中空支柱４５の中空孔５０の内周５０ａとの間に均等な隙間Ｈが生じる。
【００１１】
可動部品３は、裏側に突出した取付部３２である中空支柱５１を有する。中空支柱５１の中空孔５２の孔径は出力軸３１の外径とほぼ同じで両者が嵌まり合う寸法に形成される。中空支柱５１の外壁５１ａの厚さは、出力軸３１の外周と中空支柱４５の中空孔５０の内周との間に形成された均等な隙間Ｈより小さめで、外壁５１ａと中空孔５０の内周５０ａとの間に摩擦が生じず中空支柱５１がスムーズに回転可能な寸法に設定される。中空孔５２の底５３と対応する可動部品３の前面には隔壁５４を隔てて前面開放の凹部５５が形成される。隔壁５４には、凹部５５の底５６と中空孔５２の底５３とを繋ぐねじ挿入孔５７が形成される。中空孔５２の底５３と接触する出力軸３１の前端面５８の中央には後方に延長するねじ取付孔５９が形成される。従って、中空支柱５１の外壁５１ａを隙間Ｈに挿入しながら、中空支柱５１の中空孔５２内に出力軸３１を挿入して、中空孔５２の底５３と出力軸３１の前端面５８とを接触させた状態で、凹部５５からねじ挿入孔５７に結合部材としての止ねじ３３を挿入してねじ取付孔５９に締結することで、可動部品３と駆動部品４とが互いに正確に結合された遊技部品５が盤本体２に取付けられる。ここでは、出力軸３１と中空孔５２とで嵌合部１００が形成され、中空支柱４５の中空孔５０が出力軸３１により回転する可動部品３の中空支柱５１を回転可能に支持する軸受部１０１として機能する。従って、止ねじ３３による締結に加えて、嵌合部１００による嵌め合いにより出力軸３１と取付部３２である中空支柱５１とが正確に組付けられ、駆動部品４からの駆動力で可動部品３が確実に動作する高品質の遊技部品を搭載した遊技盤を提供できる。また、中空孔５０が軸受部１０１として機能するので、可動部品３をスムーズに駆動させることができる。
【００１２】
図３は盤本体２と可動部品３としての回転体６と駆動部品４との組立構造を示す。図３に示すように、盤本体２には回転体６用の逃孔３０が形成される。駆動部品４は、駆動源１１としてモータ６０を備える駆動体４２と上述の駆動体設置部材４７とで形成される。駆動体設置部材４７の取付部１３は後方に突出する取付支柱６１である。この取付支柱６１の後端に止ねじ４８でモータ取付板６２が取付けられる。図２に示すように、回転体６の前面６３には回転体６の周面６４から中央に延長する周面側開放の３つの溝６５；６６；６７が形成されている。回転体６はモータ６０の駆動力で矢印Ｘ方向に回転する。溝６５；６６；６７の開放口は遊技領域２１からの球を１個取込める幅に設定されており、遊技領域２１からの球が溝６５に入り込んだ場合は、その球は始動入賞部品１５の球通過孔１９を通過してアウト口２６に落下する。球通過孔１９を通過した球は始動入賞部品１５の球検出器１９ａで検出されて始動入賞球検出信号が制御装置１４に出力される。制御装置１４はこの球検出信号の入力を検出して後述する羽根駆動源を駆動して１対の羽根９を数秒間２回開放する。遊技領域２１からの球がその他の溝６６；６７に入り込んだ場合はその球は遊技領域２１に排出されて、アウト口２６より盤本体２の裏側に排出される。
【００１３】
図４は盤本体２と可動部品３としてのサイドランプ７と駆動部品４との組立構造を示す。図４に示すように、盤本体２にはサイドランプ７用の逃孔３０が形成される。駆動部品４は、駆動源１１としてロータリーソレノイド７０を備える駆動体４２と上述の駆動体設置部材４７とで形成される。図４では駆動体設置部材４７の取付部１３を省略している。図４に示すように、サイドランプ７の前面カバー７１の裏面には後側に突出する取付支柱７２を備え、取付支柱７２の後端にＬＥＤ７３を搭載した基板７４が止ねじ７５で取付けられる。ＬＥＤ７３の電源供給線７６は逃孔３０及び引出孔３０ａを介して盤本体２の裏側に引出されて図外の表示灯制御装置に接続される。このサイドランプ７はロータリーソレノイド７０により図２の実線位置と破線位置との２つの位置に可動される。サイドランプ７の可動は例えば制御装置１４が始動入賞を検出した場合に制御装置１４がロータリーソレノイド７０を駆動する。
【００１４】
図５は盤本体２と可動部品３としての可変入賞部品８の一対の羽根９と駆動部品４との組立構造を示す。図５に示すように、盤本体２には羽根９用の逃孔３０が形成される。駆動部品４は、駆動源としてソレノイド８０を備える駆動体４２と上述の駆動体設置部材４７とで形成される。図５では駆動体設置部材４７の取付部１３を省略している。図６に示すように、一対の羽根９は、ソレノイド８０のプランジャ８１の動きに連動するリンク機構８２により閉じた状態（図６のａ図）と左右に開いた状態（図６のｂ図）に駆動される。即ち、プランジャ８１の先端８３がリンク機構８２の作動孔８４に連結され、リンク機構８２の両端が羽根９；９の回転中心８５に連結される。制御装置１４は始動入賞部品１５の球検出器１９ａからの球検出信号を検知したら、ソレノイド８０を駆動して、羽根９を数秒間２回開放する。制御装置１４は始動入賞部品１６の球検出器１９ａからの球検出信号を検知したら、ソレノイド８０を駆動して、羽根９を数秒間１回開放する。尚、８ａは可変入賞部品の覆部（屋根）であり、これにより可変入賞部品８への球の入球は羽根９が開放した場合にのみ可能となっている。
【００１５】
可動部品３としての回転体６、サイドランプ７、１対の羽根９は、裏面に上述した取付部３２である中空支柱５１を有し、出力軸３１と中空孔５２とで嵌合部１００が形成され、中空支柱４５の中空孔５０が出力軸３１を回転可能に支持する軸受部１０１として機能することや、前部に隔壁５４を隔てて前面開放の凹部５５が形成されたことは図１と同じである。従って、上述と同様に凹部５５からねじ挿入孔５７に止ねじ３３を挿入しねじ取付孔５９に締結することで、可動部品３としての回転体６、あるいはサイドランプ７、あるいは１対の羽根９と駆動部品４とが互いに正確に結合された遊技部品５が盤本体２に取付けられることになる。
【００１６】
図７は盤本体２と可動部品３としての球誘導体１０と駆動部品４とを分解した状態を示し、図８は盤本体２と可動部品３としての球誘導体１０と駆動部品４との組立構造を示す。図７に示すように、駆動部品４は、駆動源としてソレノイド９０とソレノイド取付板９１とからなる駆動体４２と駆動体設置部材４７と出力軸３１とで形成される。駆動体設置部材４７の取付部１３は後方に突出する取付支柱９２である。この取付支柱９２の後端に止ねじ４８でソレノイド取付板９１が取付けられる。ソレノイド取付板９１にはソレノイド９０の電磁石９３が固定されている。出力軸３１は、ソレノイド９０のプランジャ９５の両端が挿入固定される溝９６を備えた両側板９７；９７と両側板９７；９７の前端同士を互いに連結した前板９８と前板９８より前方に突出する連結部９９とにより形成される。盤本体２及び駆動体設置部材４７には連結部９９を左右に移動可能に支持する横長の逃孔３０；３０Ａが形成される。逃孔３０；３０Ａ内に挿入される連結部９９の前面にねじ取付孔５９が形成され、止ねじ３３が球誘導体１０の後壁１０ａの前後に貫通するねじ挿入孔５７に挿入されて連結部９９の前面のねじ取付孔５９に締結されることで、可動部品３としての球誘導体１０の後壁１０ａと出力軸３１の連結部９９の前面とが締結される。以上により、電磁石９３への電力の供給と遮断によりプランジャ９５が電磁石９３に吸引される状態と戻しばね９５ａで戻る状態（図８の状態）とに駆動されることで、両側板９７；９７が左右に移動し、これにより連結部９９に止ねじ３３で締結された球誘導体１０が逃孔３０；３０Ａを介して左右に移動して、後壁１０ａの両側より前方に立上る球誘導壁１０ｂ；１０ｂで始動入賞部品１６に球を誘導する状態と誘導しない状態に設定される。この球誘導体１０は通常は制御装置１４によりソレノイド９０に電力が供給されていない状態で球を始動入賞部品１６に誘導しない位置に設定され、例えば、始動入賞部品１５への始動入賞を制御装置１４が検知した場合に、制御装置１４がソレノイド９０を駆動して球誘導体１０を始動入賞部品１６に球を誘導する位置に移動させる。
【００１７】
実施形態によれば、図１に示すように、止ねじ３３が可動部品３の前側からねじ挿入孔５７を経由してねじ取付孔５９に締結されることによって、可動部品３と駆動部品４とが盤本体２に取り付けられる。従って、可動部品３と駆動部品４とを簡単に正確に組付けることが可能となる。そして、盤本体２に取り付けられた可動部品３を盤本体２から取り外す場合、止ねじ３３が、遊技盤１の前側からドライバーのような工具で、締結解除方向に回転操作されることによって取り外すだけで、可動部品３を盤本体２から取り外せる。よって、可動部品３を盤本体２から取り外すことがやりやすくなるという利点がある。従って、駆動部品４をリサイクル利用できるとともに、可動部品３のみを交換することが容易となる。また、可動部品３は盤本体２の前面に対する取付部を備えない構成なので、遊技領域における球の飛び交うスペースを広くでき、釘の配置設計の自由度が増す。
【００１８】
実施形態の構造によれば、止めじ３３による締結に加えて、嵌合部１００による嵌め合いにより出力軸３１と取付部３２である中空支柱５１とが正確に組付けられるので、駆動部品４からの駆動力で可動部品３が確実に動作する高品質の遊技部品を搭載した遊技盤を提供できる。また、中空孔５０が嵌合部１００の軸受部１０１として機能するので、可動部品３をスムーズに駆動させることができる。
【００１９】
尚、実施形態では、可動部品３の取付部３２と駆動部品４の出力軸３１とを結合部材としての止ねじ３３で互いに結合した例を示したが、例えば中空支柱５１の中空孔５２の底５３側と出力軸３１の先端側とに互いに対向する結合部材としての図外の永久磁石を設け、永久磁石同士の吸着により可動部品３と駆動部品４とを互いに結合する構造としてもよい。
【００２０】
また、可動部品３の図外の位置決め部を設けてもよい。例えば、出力軸３１の先端の上下に凹溝を形成し、当該凹溝に嵌まる凸部を中空孔の底５３側に形成すればよい。この位置決め部を設けることにより、可動部品３の所定の位置への正確な取付けが可能となる。
【産業上の利用可能性】
【００２１】
実施形態では、可動部品３の取付部３２と駆動部品４の出力軸３１とが互いに前後方向で嵌め合う嵌合部として、可動部品３の裏面に前後方向に延びる中空孔の形成された中空支柱の中空孔５２と出力軸３１とが互いに前後方向で嵌め合う嵌合部１００を形成した例を示したが、可動部品３の取付部３２を出力軸３１の前面から後部に延長して設けた中空孔内に嵌め込む嵌合部１００を形成してもよい。
【図面の簡単な説明】
【００２２】
【図１】実施形態による盤本体と可動部品と駆動部品との組立構造を示す分解断面図。
【図２】実施形態による盤本体の前面から駆動部品に止ねじで取付けられた各種の可動部品を示した遊技盤の正面図。
【図３】実施形態による盤本体と可動部品としての回転体と駆動部品との組立構造を示す断面図。
【図４】実施形態による盤本体と可動部品としてのサイドランプと駆動部品との組立構造を示す断面図。
【図５】実施形態による盤本体と可動部品としての羽根と駆動部品との組立構造を示す断面図。
【図６】ａ図及びｂ図は実施形態による羽根の開閉動作を示す図。
【図７】実施形態による盤本体と可動部品としての球誘導体と駆動部品と分解した分解斜視図。
【図８】盤本体と可動部品としての球誘導体と駆動部品との組立構造を示す断面図。
【符号の説明】
【００２３】
１  遊技盤、２  盤本体、３  可動部品、４  駆動部品、５  遊技部品、
３０  逃孔、３１  出力軸、３２  取付部、３３  止ねじ（結合部材）、４５  中空支柱、５０  中空孔、５１  中空支柱、５２  中空孔、１００  嵌合部、１０１  軸受部。
【図１】
2005185587.tif 000003
【図２】
2005185587.tif 000004
【図３】
2005185587.tif 000005
【図４】
2005185587.tif 000006
【図５】
2005185587.tif 000007
【図６】
2005185587.tif 000008
【図７】
2005185587.tif 000009
【図８】
2005185587.tif 000010